(57)【要約】【課題】撮影者が周辺にいる撮影者と衝突することを防止する。【解決手段】無線通信回線を介してデータの送受信を行う機能を備えた撮像装置であって、外部通信装置と通信する通信手段と、被写体を撮像する撮像手段と、映像を表示する表示手段と、前記撮像装置の位置情報、向き情報、動作状態を含む情報を取得する内部情報取得手段と、前記通信手段で通信した外部通信装置の位置情報、向き情報、動作状態を含む情報を取得する外部情報取得手段と、前記内部情報取得手段で得られた位置情報及び向き情報から前記撮像装置が表示手段で表示する領域を判断する表示領域判断手段と、前記内部情報取得手段で得られた情報と、前記外部情報取得手段で得られた情報と、前記表示領域判断手段で得られた情報を元に前記撮像装置と衝突する可能性のある前記外部通信装置を抽出する抽出手段と、前記抽出手段で抽出した前記外部通信装置の位置情報を表示する抽出表示手段とを有することを特徴とする。【選択図】  図１
2013183301.tif 000002
【特許請求の範囲】
【請求項１】
無線通信回線を介してデータの送受信を行う機能を備えた撮像装置であって、
外部通信装置と通信する通信手段と、
被写体を撮像する撮像手段と、
映像を表示する表示手段と、
前記撮像装置の位置情報、向き情報、動作状態を含む情報を取得する内部情報取得手段と、
前記通信手段で通信した外部通信装置の位置情報、向き情報、動作状態を含む情報を取得する外部情報取得手段と、
前記内部情報取得手段で得られた位置情報及び向き情報から前記撮像装置が表示手段で表示する領域を判断する表示領域判断手段と、
前記内部情報取得手段で得られた情報と、前記外部情報取得手段で得られた情報と、
前記表示領域判断手段で得られた情報を元に前記撮像装置と衝突する可能性のある前記外部通信装置を抽出する抽出手段と、
前記抽出手段で抽出した前記外部通信装置の位置情報を表示する抽出表示手段とを有することを特徴とする撮像装置。
【請求項２】
前記抽出手段は、前記外部通信装置の前記動作状態が撮影状態のとき、優先的に選択することを特徴とする請求項１に記載の撮像装置。
【請求項３】
前記抽出手段は、前記撮像装置の前記動作状態が再生状態のとき、前記表示領域判断手段で得られた情報を無効にすることを特徴とする請求項１に記載の撮像装置。
【請求項４】
前記抽出手段は、前記撮像装置の向きと異なる向きの前記外部通信装置を優先的に選択することを特徴とする請求項１に記載の撮像装置。
【請求項５】
前記抽出手段は、位置が変化している前記外部通信装置を優先的に選択することを特徴とする請求項１に記載の撮像装置。
【請求項６】
前記外部通信装置は撮像装置であることを特徴とする請求項１に記載の撮像装置。
【請求項７】
前記撮像装置、及び前記外部通信装置とデータの送受信をするサーバーを備え、前記外部情報取得手段は、前記サーバーから得られた前記外部通信装置の位置情報、向き情報、及び動作状態を含む情報を取得することを特徴とする請求項１に記載の撮像装置。
【発明の詳細な説明】
【技術分野】
【０００１】
本発明は、ビデオカメラで撮影している撮影者に対して、周辺にいる複数の撮像者と衝突しないようにする撮影装置に関するものである。
【背景技術】
【０００２】
ビデオカメラ等、表示パネルを見ながら撮影するような機器においては、撮影者自身の視野が狭くなり、周辺に人がいた場合、衝突する可能性がある。特に周辺に同じように撮影等を行い視野が狭くなっている人がいると、衝突する可能性がさらに高まる。
【０００３】
現在、撮影装置に複数のセンサーを設置し、センサーが障害物を検出したら撮影者に警告を出す技術が提案されている（特許文献１）。
【先行技術文献】
【特許文献】
【０００４】
【特許文献１】特開２０００−３０７９１３号公報
【発明の概要】
【発明が解決しようとする課題】
【０００５】
しかしながら、従来技術では撮影装置にセンサーが設置されているので、撮影者の後ろの障害物を検出することは困難である。撮影者の後方に別の撮影者がいた場合、衝突してしまう可能性があるといった課題がある。
【０００６】
本発明は上記の課題に鑑みてなされたものであり、撮影者が周辺にいる撮影者と衝突することを防止する撮影装置を提供することを目的とする。
【課題を解決するための手段】
【０００７】
請求項１に記載の撮像装置は、前記課題を解決するために、無線通信回線を介してデータの送受信を行う機能を備えた撮像装置であって、外部通信装置と通信する通信手段と、被写体を撮像する撮像手段と、映像を表示する表示手段と、前記撮像装置の位置情報、向き情報、動作状態を含む情報を取得する内部情報取得手段と、前記通信手段で通信した外部通信装置の位置情報、向き情報、動作状態を含む情報を取得する外部情報取得手段と、前記内部情報取得手段で得られた位置情報及び向き情報から前記撮像装置が表示手段で表示する領域を判断する表示領域判断手段と、前記内部情報取得手段で得られた情報と、前記外部情報取得手段で得られた情報と、前記表示領域判断手段で得られた情報を元に前記撮像装置と衝突する可能性のある前記外部通信装置を抽出する抽出手段と、前記抽出手段で抽出した前記外部通信装置の位置情報を表示する抽出表示手段とを有することを特徴とする。
【０００８】
請求項２に記載の撮像装置は、前記課題を解決するために、請求項１に記載の撮像装置であって、前記抽出手段は、前記外部通信装置の前記動作状態が撮影状態のとき、優先的に選択することを特徴とする
請求項３に記載の撮像装置は、前記課題を解決するために、請求項１に記載の撮像装置であって、前記抽出手段は、前記撮像装置の前記動作状態が再生状態のとき、前記表示領域判断手段で得られた情報を無効にすることを特徴とする。
【０００９】
請求項４に記載の撮像装置は、前記課題を解決するために、請求項１に記載の撮像装置であって、前記抽出手段は、前記撮像装置の向きと異なる向きの前記外部通信装置を優先的に選択することを特徴とする。
【００１０】
請求項５に記載の撮像装置は、前記課題を解決するために、請求項１に記載の撮像装置であって、前記抽出手段は、位置が変化している前記外部通信装置を優先的に選択することを特徴とする。
【００１１】
請求項６に記載の撮像装置は、前記課題を解決するために、請求項１に記載の撮像装置であって、前記外部通信装置は撮像装置であることを特徴とする。
【００１２】
請求項７に記載の撮像装置は、前記課題を解決するために、請求項１に記載の撮像装置であって、前記撮像装置、及び前記外部通信装置とデータの送受信をするサーバーを備え、前記外部情報取得手段は、前記サーバーから得られた前記外部通信装置の位置情報、向き情報、及び動作状態を含む情報を取得することを特徴とする。
【発明の効果】
【００１３】
周辺にいる撮影者のうち、衝突する可能性のある撮影者の情報を通知することにより、撮影者が周辺の撮影者と衝突することを軽減できる。
【図面の簡単な説明】
【００１４】
【図１】実施例１の適用例
【図２】実施例１、２のビデオカメラの構成を示した図
【図３】実施例１、２のビデオカメラ１００の処理シーケンス
【図４】実施例１、２のビデオカメラ１０１から１１０の処理シーケンス
【図５】データリスト
【図６】実施例１、２のビデオカメラ１００の表示例
【図７】実施例２の適用例
【発明を実施するための形態】
【００１５】
以下、添付図面を参照して本発明を実施するための最良の形態を詳細に説明する。
【００１６】
［実施例１］
図１は本実施例の適用場面を示したものであり、無線通信機能を有するビデオカメラ１００〜１１０が無線ＬＡＮネットワークでそれぞれ接続されている。ビデオカメラ１００の撮影者が自分であり、符号１１１はビデオカメラ１００の後述する表示部１０１に表示される表示領域である。
【００１７】
図２は本実施例を実現するためのビデオカメラの構成を示した図である。符号２００はＣＰＵであり、周辺のビデオカメラのうち自分のカメラと衝突する可能性のあるカメラを判断する判断手段を持ち、ビデオカメラ全体を制御する制御部である。符号２０１はＬＣＤ等の表示部である。符号２０２はビデオカメラがどの位置にあるかを検出するＧＰＳ等、さらにビデオカメラの向きを検出する電子コンパス等からなる検出部である。符号２０３はレンズや撮像素子等から構成され、被写体を取り込み撮像する撮像部である。符号２０４は他の通信機器と無線通信を行う通信部である。符号２０５はＲＡＭであり、ビデオカメラ状態の情報、位置情報、向き情報、無線パラメータ、設定値等の各種データを記憶する記憶部である。符号２０６はユーザーとのインタフェースとなる各種操作キーを備える操作部である。符号２０７は制御部２００の処理手順（プログラム）を格納しているＲＯＭである。符号２０９はＤＶＤ、ＨＤＤ、半導体メモリ等の記憶媒体で、符号２０８は記憶媒体２０９とのインタフェースである。
【００１８】
上記の符号２００から符号２０９で実施形態における撮像装置を構成している。
【００１９】
尚、実施形態における撮像装置はビデオカメラだけでなく、デジタルカメラ等被写体を撮像する装置全てに適用できる。
【００２０】
次に、本実施例の具体的な動作について図３から図６を用いて説明する。
【００２１】
図３はビデオカメラ１００の処理シーケンスである。
【００２２】
ユーザーがビデオカメラ１００の操作部２０６を操作することでビデオカメラ１００は処理を開始する。
【００２３】
ステップＳ３００ではビデオカメラ１００は通信部２０４を介し、周辺のビデオカメラ１０１〜１１０に無線接続の確立要求を送信し、無線接続を確立し、ステップＳ３０１に進む。尚、本実施例においてはＩＰアドレス等の無線パラメータはビデオカメラ１００〜１１０に予め設定されており、記憶部２０５に保持されているものとする。
【００２４】
ステップＳ３０１ではビデオカメラ１００の検出部２０２がビデオカメラ１００の位置及び向きを検出し、表示部２０１の大きさから表示部２０１の表示している領域１１１の領域情報を記憶部２０５に保持し、ステップＳ３０２に進む。
【００２５】
ステップＳ３０２では無線接続されているビデオカメラ１０１〜１１０に対し、それぞれ通信部２０４を介し、位置情報、向き情報、ビデオカメラ状態情報の取得要求を送信する。それぞれのビデオカメラ１０１〜１１０から位置情報、向き情報、ビデオカメラ状態情報を取得し、データリストとして記憶部２０５に保持し、ステップＳ３０３に進む。データリストについては後述する。
【００２６】
ステップＳ３０３では周辺のカメラから衝突する可能性のあるカメラを抽出し、ステップＳ３０４に進む。（衝突する可能性のあるカメラの抽出手段については後述する）。
【００２７】
ステップＳ３０４ではステップＳ３０３で抽出したビデオカメラの位置を表示部２０１に表示し、ステップＳ３０５に進む。
【００２８】
ステップＳ３０５では表示部２０１に周辺カメラ選択の処理を継続するか否か等を表現する表示を行い、ユーザーが操作部２０６を操作し、周辺カメラ選択の処理を終了するか否か判断する。終了すると判断するとステップＳ３０６に進み、そうでなければステップＳ３０１に進む。
【００２９】
ステップＳ３０６ではビデオカメラ１００は通信部２０４を介し、周辺のビデオカメラ１０１〜１１０に無線接続の切断要求を送信し、ビデオカメラ１０１〜１１０との無線接続の切断を確認し、終了する。
【００３０】
次にステップＳ３０３の周辺のビデオカメラから衝突する可能性のあるビデオカメラの抽出手段の詳細動作フローをステップＳ３０７からステップＳ３１３で説明する。
【００３１】
ステップＳ３０７ではビデオカメラ１００が撮影中か否か判断する。撮影中であればステップＳ３０９に進み、そうでなければステップＳ３０８に進む。
【００３２】
ステップＳ３０８ではビデオカメラ１００が再生中か否か判断する。再生中であればステップＳ３１０に進み、そうでなければステップＳ３０９に進む。
【００３３】
ステップＳ３０９では周辺のビデオカメラのうち、ステップＳ３０１で保持した領域１１１の領域情報の範囲外のビデオカメラを抽出し、ステップＳ３１０に進む。
【００３４】
ステップＳ３１０ではステップＳ３０９で抽出したビデオカメラのうち、ビデオカメラ１００に近いビデオカメラを抽出し、ステップＳ３１１に進む。
【００３５】
ステップＳ３１１ではステップＳ３１０で抽出したビデオカメラのうち、ビデオカメラ状態情報が撮影中であるビデオカメラを抽出し、ステップＳ３１２に進む。
【００３６】
ステップＳ３１２ではステップＳ３１１で抽出したビデオカメラのうち、位置の変動が大きいビデオカメラを抽出し、ステップＳ３１３に進む。
【００３７】
ステップＳ３１３ではステップＳ３１２で抽出したビデオカメラのうち、ビデオカメラ１００と向きが同一方向でないビデオカメラを抽出し、終了する。
【００３８】
尚、ビデオカメラ１００〜ビデオカメラ１１０は撮影機能と再生機能があり、ビデオカメラの状態としては撮影待機状態、撮影状態、再生状態がある場合の例であり、他の機能、状態があれば抽出手段の動作フローの判断に入れても構わない。
【００３９】
尚、ステップＳ３０９からステップＳ３１３の各項目の抽出の順番は１例であり、どのような順番に抽出しても構わない。
【００４０】
図４はビデオカメラ１０１〜１１０の処理シーケンスである。
【００４１】
ステップＳ４００に進む前のビデオカメラ１０１〜１０９の状態としては電源がオンされていれば撮影中、再生中であっても構わない。
【００４２】
ステップＳ４００では他のビデオカメラ（ビデオカメラ１００）から無線接続の確立要求を受信したか否か判断する。無線接続の確立要求を受信していればステップＳ４０１に進み、そうでなければステップＳ４００に進む。ビデオカメラ１０１〜１１０が無線接続の確立要求を受信するというのはステップＳ３００のビデオカメラ１００が無線接続の確立要求を送信したときに行われる。
【００４３】
ステップＳ４０１ではビデオカメラ１００と無線接続を確立し、ステップＳ４０２に進む。ステップＳ４０１の処理はステップＳ３００の無線接続の確立のときと同時に行われる。
【００４４】
ステップＳ４０２ではビデオカメラ１００から無線接続の切断要求を受信したか否か判断する。無線接続の切断要求を受信していればステップＳ４０６に進み、そうでなければステップＳ４０３に進む。無線接続の切断要求を受信するというのはステップＳ３０６のビデオカメラ１００が無線接続の切断要求を送信したときに行われる。
【００４５】
ステップＳ４０３ではビデオカメラ１００から位置情報、向き情報、ビデオカメラ状態情報の取得要求を受信したか否か判断する。位置情報、向き情報、ビデオカメラ状態情報の取得要求を受信していればステップＳ４０４に進み、そうでなければステップＳ４０２に進む。位置情報、向き情報、ビデオカメラ状態情報の取得要求を受信するというのはステップＳ３０２のビデオカメラ１００が位置情報、向き情報、ビデオカメラ状態情報の取得要求を送信したときに行われる。
【００４６】
ステップＳ４０４では検出部２０２が位置、向きを検出し、位置情報、向き情報及び現在のビデオカメラ状態情報を記憶部２０６に保持し、ステップＳ４０５に進む。
【００４７】
ステップＳ４０５では位置情報、向き情報、ビデオカメラ状態情報をビデオカメラ１００に送信し、ステップＳ４０２に進む。
【００４８】
ステップＳ４０６ではビデオカメラ１００と無線接続を切断するとともにビデオカメラ１００に対し、切断が完了したことを送信し、終了する。
【００４９】
図５ビデオカメラ１００〜１１０の位置情報、向き情報、ビデオカメラ状態情報をまとめたデータリストである。位置情報は簡略化のためＸ０などと表記しているが緯度経度を含む情報である。向き情報は北東など方角であらわしている。ビデオカメラ状態情報は撮影中、待機中、再生中の状態の３状態があるとしている。このデータリストはステップＳ３０２で生成され記憶部２０５に保持される。
【００５０】
次にステップＳ３０５で表示部２０１に表示する例を図６に示す。
【００５１】
図６は図１の適用例において、ビデオカメラ１００の表示部２０１に表示される例を示したものであり、符号６００はビデオカメラ１０９の撮影者、符号６０１はビデオカメラ１１０の撮影者、符号６０２はビデオカメラ１０７の撮影者を示したものである。符号６０３は表示部２０１に表示される衝突の可能性のあるビデオカメラの位置を通知する表示の例である。左後ろ１ｍの位置に衝突の可能性のあるビデオカメラがあることを示している。
【００５２】
尚、符号６０３の表示は１例であり、自分のビデオカメラ（ビデオカメラ１００）にとって衝突の可能性のあるビデオカメラの位置を知らせる表現であればどんな表示でも構わない。
【００５３】
［実施例２］
図７は本実施例における適用例を示したものであり、無線通信機能を有するビデオカメラ１００〜１１０がネットワーク７００とそれぞれ接続されている。ビデオカメラ１００の撮影者が自分であり、符号１１１はビデオカメラ１００の表示領域である。
【００５４】
本実施例を実現するビデオカメラの構成を示した図は、実施例１に示したものと同じであり図２に示す。
【００５５】
ネットワーク７００はビデオカメラ１００〜１１０とそれぞれ無線接続し、無線接続された状態であれば、ビデオカメラ１００〜１１０から送信されるデータの保存（アップロード）及びビデオカメラ１００〜１１０へのデータの送信（ダウンロード）が可能である。さらにビデオカメラ１００〜１１０のデータはネットワーク７００で一括管理され、各ビデオカメラからデータが閲覧できるようになっている。
【００５６】
ビデオカメラ１００の処理シーケンスは図３と同じであり、差異のあるステップＳ３００、Ｓ３０２、Ｓ３０６に関してのみ説明する。
【００５７】
ステップＳ３００ではビデオカメラ１００は通信部２０４を介し、ネットワーク７００と無線接続を確立し、ステップＳ３０１に進む。
【００５８】
ステップＳ３０２ではネットワーク７００から、通信部２０４を介し、ビデオカメラ１０１〜１１０の位置情報、向き情報、ビデオカメラ状態情報を取得（ダウンロード）し、データリストとして記憶部２０５に保持し、ステップＳ３０３に進む。
【００５９】
ステップＳ３０６ではビデオカメラ１００は通信部２０４を介し、ネットワーク７００と無線接続を切断し、終了する。
【００６０】
ビデオカメラ１０１〜１１０の処理シーケンスは図４と同じであり、差異のあるステップＳ４０１、Ｓ４０２、Ｓ４０５、Ｓ４０６に関してのみ説明する。
【００６１】
ステップＳ４０１ではビデオカメラ１０１〜１１０はそれぞれ通信部２０４を介し、ネットワーク７００と無線接続を確立し、ステップＳ４０２に進む。尚、ステップＳ４０１は電源オン時に行えばよい。
【００６２】
ステップＳ４０２ではネットワーク７００と無線接続を切断するか否かを判断する。無線接続を切断すると判断されるとステップＳ４０６に進み、そうでなければステップＳ４０３に進む。尚、無線接続を切断する判断はユーザーが操作部２０２を操作し、無線接続の切断を要求したとき、あるいは電源オフするときに行われる。
【００６３】
ステップＳ４０５では位置情報、向き情報、ビデオカメラ状態情報をネットワーク７００に送信（アップロード）し、ステップＳ４０２に進む。
【００６４】
ステップＳ４０６ではネットワーク７００と無線接続を切断し、終了する。
【符号の説明】
【００６５】
１００〜１１０・・・ビデオカメラ
２００・・・制御部
２０１・・・表示部
２０２・・・検出部
２０３・・・撮像部
２０４・・・通信部
２０５・・・記憶部
２０６・・・操作部
２０７・・・ＲＯＭ部
２０８・・・記憶媒体ＩＦ
２０９・・・記憶媒体
７００・・・ネットワーク
【図１】
2013183301.tif 000003
【図２】
2013183301.tif 000004
【図３】
2013183301.tif 000005
【図４】
2013183301.tif 000006
【図５】
2013183301.tif 000007
【図６】
2013183301.tif 000008
【図７】
2013183301.tif 000009